(57)【特許請求の範囲】
【請求項１】
屋根の棟側から軒側に向けて順次配置固定される太陽電池モジュールの設置構造であって、
屋根材（２）と、屋根材（２）の上面に添うように載置固定された太陽電池（４）と、屋根材（２）の下方に配置されて屋根材（２）の踏み強度や断熱性を保つためのベース（３）とを備え、
屋根材（２）の軒側端部は、ベース（３）よりも軒側に突出されて、ベース（３）の軒側前方であって屋根材（２）の軒側端部の下方に、配線スペース（６９）が左右方向に貫通するように設けられ、屋根材（２）の軒側端部を持ち上げることなくその下側に、軒側の太陽電池モジュールの棟側端部が挿入できるように、屋根材２の軒側端部が浮かされていることを特徴とする太陽電池モジュールの設置構造。
【請求項２】
前記ベース（３）の下面に、水流れ方向の配線溝（３２）が、水流れ方向に貫通するように設けられ、前記配線溝（３２）と配線スペース（６９）とが互いに連通されていることを特徴とする請求項１に記載の太陽電池モジュールの設置構造。
【請求項３】
太陽電池（４）に、リード線（７１，７２）が突出された端子ボックス（５３）が下方突設され、屋根材（２）に、端子ボックス挿入窓（１２）が設けられ、ベース（３）に、太陽電池（４）の端子ボックス（５３）を収納する収納凹部（２７）が端子ボックス挿入窓（１２）に対応して設けられ、太陽電池（４）の端子ボックス（５３）が端子ボックス挿入窓（１２）に挿入されて、ベース（２３）の収納凹部（２７）に収納され、収納凹部（２７）が前記配線スペース（６９）に連通されていることを特徴とする請求項１に記載の太陽電池モジュールの設置構造。
【発明の詳細な説明】
【０００１】
【発明の属する技術分野】
本発明は、建物の屋根に配置される太陽電池モジュールの設置構造に関する。
【０００２】
【従来の技術】
屋根に太陽電池を設置する場合、太陽電池を金属屋根材の上面に添って配置した太陽電池モジュールを構成し、この太陽電池モジュールを建物の野地板上に多数配置することが考えられている。この場合、各太陽電池モジュールの太陽電池を複数個ずつ直列に接続して所定の電圧に高め、その複数個の太陽電池同士を接続線により並列に接続し、建物の内部等に配線するようにしていた。
しかし、従来の太陽電池モジュールでは、単に太陽電池のリード線を、各太陽電池モジュールの左右外側方等に突出しているのみで、各太陽電池モジュールの太陽電池のリード線や接続線を配線するための特別の配慮がなされていなかった。
【０００３】
【発明が解決しようとする課題】
従って、従来の場合、太陽電池モジュールを建物の野地板上に多数配置する場合、左右方向や水流れ方向に隣り合う各太陽電池モジュールの太陽電池のリード線を順次接続しながら、各太陽電池モジュールを建物の野地板上に配置する必要があり、このため、太陽電池の電線の配線と、太陽電池モジュールの設置とを、順次１つずつ繰り返す必要があり、太陽電池モジュールの施工作業が非常に煩雑になり、太陽電池モジュールの施工作業を効率よくなすことができなかった。
【０００４】
そこで、本発明は上記問題点に鑑み、ある程度の太陽電池モジュールの設置が終了した後に、各太陽電池モジュール１の太陽電池４の電線の配線をまとめて行うことができるようにして、太陽電池モジュールの施工作業を簡単でかつ効率よくなし得るようにしたものである。
【０００５】
【課題を解決するための手段】
この技術的課題を解決するための本発明の技術的手段は、屋根の棟側から軒側に向けて順次配置固定される太陽電池モジュールの設置構造であって、
屋根材２と、屋根材２の上面に添うように載置固定された太陽電池４と、屋根材２の下方に配置されて屋根材２の踏み強度や断熱性を保つためのベース３とを備え、
屋根材２の軒側端部は、ベース３よりも軒側に突出されて、ベース３の軒側前方であって屋根材２の軒側端部の下方に、配線スペース６９が左右方向に貫通するように設けられ、屋根材２の軒側端部を持ち上げることなくその下側に、軒側の太陽電池モジュールの棟側端部が挿入できるように、屋根材２の軒側端部が浮かされている点にある。
【０００６】
また、本発明の技術的手段は、前記ベース３の下面に、水流れ方向の配線溝３２が、水流れ方向に貫通するように設けられ、前記配線溝３２と配線スペース６９とが互いに連通されている点にある。
【０００７】
また、本発明の技術的手段は、太陽電池４に、リード線７１，７２が突出された端子ボックス５３が下方突設され、屋根材２に、端子ボックス挿入窓１２が設けられ、ベース３に、太陽電池４の端子ボックス５３を収納する収納凹部２７が端子ボックス挿入窓１２に対応して設けられ、太陽電池４の端子ボックス５３が端子ボックス挿入窓１２に挿入されて、ベース２３の収納凹部２７に収納され、収納凹部２７が前記配線スペース６９に連通されている点にある。
【０００８】
【発明の実施の形態】
以下、本発明の実施の形態を図面に基づいて説明する。
図１〜図５において、１は太陽電池モジュールで、金属屋根材２とベース３と太陽電池４と左右一対の吊り子５と左右一対の支持板６と縦樋７と左右一対のストッパー８とを備える。この太陽電池モジュール１は、図６に示すように野地板９上に多数配置され、例えば上段（棟側）の太陽電池モジュール１と下段（軒側）の太陽電池モジュール１とは左右方向に１／２モジュールずらされ、多数の太陽電池モジュール１は千鳥状に配置されている。
【０００９】
図９〜図１２に示すように、各金属屋根材２は平坦状の屋根材本体１１を備え、屋根材本体１１の中央部に図４に示す如く端子ボックス挿入窓１２が設けられている。各金属屋根材２の左右両端に、屋根材本体１１から下方に折曲した折曲縁部１３が設けられている。
各金属屋根材２の棟側端部に、屋根材本体１１から上側にコの字状又はＵ字状に折り返された水返し１６が設けられ、水返し１６の上側平坦部が棟側重合片１７とされている。また、各金属屋根材２の棟側端部に、水返し１６から棟側に断面Ｕ字状に延長した横樋１８が設けられている。
【００１０】
金属屋根材２の軒側端部に、係止片２１と折り返し片２２と軒側重合片２３とが設けられている。係止片２１は屋根材本体１１の軒側端部から下方に折曲され、折り返し片２２は係止片２１の下端から棟側に折り返され、軒側重合片２３は、折り返し片２２の先端側から下側に折り返して形成されている。従って、折り返し片２２は、下側に折り返して棟側に突出するように設けられ、軒側重合片２３は軒側に突出しかつ軒側重合片２３の上方が折り返し片２２で覆われている。前記係止片２１及び折り返し片２２の左右方向両端部に、図７、図１０に示すように排水孔２４が設けられている。
【００１１】
なお、左右に隣合う金属屋根材２の折曲縁部１３同士は適当な接続手段等によって互いに密着して接続される。
前記ベース３は金属屋根材２の踏み強度や断熱性を保つためのもので、発泡樹脂等で構成され、各金属屋根材２の下方に配置されている。
ベース３は、図１、図４、図７、図１３に示すように、軒側端部から棟側端部に向けて序々に肉厚が薄くなる楔形に形成されている。ベース３の左右方向中央部の軒側に、金属屋根材２の端子ボックス挿入窓１２に対応して収納凹部２７が設けられている。ベース３の上面に左右一対の係止溝２８がベースの左右両側に夫々形成されている。ベース３上面の左右方向の一端部に樋収納凹部３０が水流れ方向に形成されている。ベース３の棟側に左右方向に間隔をおいて４個の切り欠き凹部３１が設けられ、ベース３の下面に水流れ方向の配線溝３２が切り欠き凹部３１に対応して４個設けられている。この配線溝３２は、後述する太陽電池４のリード線７１，７２や接続線７３（太陽電池４の電線）を配線するためのもので、ベース３の下面に水流れ方向に貫通するように形成され、各配線溝３２は、金属屋根材２の下方に位置して、左右方向に互いに間隔をおいて平行に配置されている。
【００１２】
吊り子５は、各ベース３の軒側端部に左右一対ずつ設けられている。各吊り子５は、図１〜図４に示すように、野地板９に固定するための固定部３５と、ベース３の下面に配置される固着部３６と、固着部３６から立ち上がった立ち上がり部３８と、立ち上がり部３８から軒側に突出した受け部３９と、受け部３９から折曲部３７を介して軒側に突出した係合部４１と、係合部４１から上方に突出した取付部４２とを有し、受け部３９にネジ孔４０が左右一対設けられ、取付部４２にねじ孔４６が形成されている。
【００１３】
支持板６は、各ベース３の上面に左右一対ずつ設けられている。各支持板６は、図１４〜図１６に示すように、支持板６の棟側端部に、下側にＬの字状に折れ曲がった係合片４３と、上側にＬ字状に切り起こし形成した係止片４４とが設けられ、支持板６の軒側中途部に取付孔４７が前記ネジ孔４０に対応して左右一対設けられている。支持板６の左右両端に、下方に折曲した折曲縁部４８が設けられている。
左右一対の支持板６の折曲縁部４８がベース３の係止溝２８に挿入係合されて、各支持板６は、ベース３の上面に添うように配置されると共に、各支持板６の軒側中途部が吊り子５の受け部３９上に配置され、ネジ孔４０に螺合する止めネジ５０により左右一対の支持板６の軒側中途部が左右一対の吊り子５に対して夫々締め付け固定され、これにより左右一対の支持板６と左右一対の吊り子５との間でベース３を挟持し、ベース３、左右一対の支持板６及び左右一対の吊り子５が一体となるように組み立てられている。
【００１４】
太陽電池４は、ガラスに太陽電池セルを取り付けてなり、下面の中央部に端子ボックス５３が下方突出されている。
なお、この太陽電池４は、野地板９上に配置した多数の金属屋根材２のうちの一部の複数の金属屋根材２に設けられている。太陽電池４を設けない金属屋根材２の場合は、端子ボックス挿入窓１２は不要となり、金属屋根材２の端子ボックス挿入窓１２は省略される。また、ベース３の収納凹部２７も省略してもよい。
太陽電池４の端子ボックス５３が端子ボックス挿入窓１２に挿入されて、ベース２３の収納凹部２７に収納され、この状態で太陽電池４は金属屋根材２の屋根材本体１１の上面に夫々載置されて、屋根材本体１１の上面に接着されている。金属屋根材２の軒側端部に、金属屋根材２に対して太陽電池４の軒側への移動を規制するストッパ−８が左右一対設けられている。前記太陽電池４の棟側端部は金属屋根材２の屋根材本体１１と前記棟側重合片１７との間で嵌合保持され、太陽電池４の軒側端部は、前記ストッパー８と屋根材本体１１との間で嵌合保持されている。
【００１５】
上記の如く太陽電池４を金属屋根材２の屋根材本体１１の上面に接着した理由は、取り付け強度の向上、振動防止、金属屋根材２に設けた端子ボックス挿入窓１２等への浸水防止のためである。また、ストッパー８を設けたのは、太陽電池４を接着するための接着剤の経年劣化や、防火性試験の際の太陽電池４の脱落防止を図るためである。
前記ストッパー８は、図１〜図３に示すように、取付孔を有する取付部５９と押さえ部６０と取付部５９の下端から棟側に向けて斜め下方に突出した係止部８１とを有している。ストッパー８は、ネジ孔４６に螺合する止めネジ５４によって金属屋根材２の係止片２１と共に吊り子５の取付部４２に締め付け固定され、これにより金属屋根材２の軒側端部が吊り子５に固定されている。
【００１６】
また、吊り子５の受け部３９上に支持板６を介して金属屋根材２の軒側端部が載せられ、これにより吊り子５で金属屋根材２の軒側端部を野地板９から浮かせて、金属屋根材２を野地板９上に配置する際に、上段の金属屋根材２の軒側端部を持ち上げることなく、該上段の金属屋根材２の軒側端部の下に、下段側の金属屋根材２の棟側端部が挿入できるようになっている。金属屋根材２の棟側端部は、横樋１８が係止片４４に係合されて、係止片４４により金属屋根材２の棟側端部が支持板６乃至ベース３から上方に浮かないように規制されている。
【００１７】
縦樋７は、図１７〜図１９に示すように、左右両端に上方に折曲された一対の立ち上がり壁５６が設けられ、縦樋７の棟側端部に上方にＬ字状に折曲された水返し５７が設けられ、縦樋７の下面には剥離紙付の両面接着テープ５８が添着されている。この縦樋７は各太陽電池モジュール１のベース３の樋収納凹部３０に嵌合保持され、両面接着テープ５８により樋収納凹部３０の底面に接着固定されている。ベース３の樋収納凹部３０は金属屋根材２の左右方向外端よりも左右方向外方に突出され、図１２に鎖線で示すように、縦樋７の左右方向の外端部は金属屋根材２の左右方向外端よりも左右方向外方に突出されて、左右に隣合う太陽電池モジュール１の金属屋根材２の対向端部の下方に位置し、縦樋７が左右に隣合う金属屋根材２の対向端部間に股がるようになっている。また、左右に隣合う金属屋根材２の折曲縁部１３が上側から縦樋７内に挿入されている。
【００１８】
そして、縦樋７の軒側端部は排水孔２４に臨まされており、縦樋７に入った雨水は縦樋７から排水孔２４を通って下段の太陽電池４又は金属屋根材２上に排出されるようになっている。
図１に示すように上段の太陽電池モジュール１の軒側端部の下方に、下段の太陽電池モジュール１の棟側端部が挿入され、これにより上段の金属屋根材２の軒側重合片２３と下段の金属屋根材２の棟側重合片１７とが、軒側重合片２３を上にし棟側重合片１７を下にして上下に重合されている。
【００１９】
重合された上段の金属屋根材２の軒側重合片２３と下段の金属屋根材２の棟側重合片１７とは結合部材６１によって上下に挟持されている。
この結合部材６１は、図１〜図３に示すように、上挟持片６２と下挟持片６３とこれら挟持片６２，６３を連結する連結部６４とをコの字状又はＵ字状に有し、これにより結合部材６１が、重合された軒側重合片２３と棟側重合片１７とを上下に挟持するように軒側重合片２３及び棟側重合片１７に対して嵌合可能に構成されている。また、結合部材６１は、上挟持片６２の棟側端部から上側に折り返した係合片８３を有し、係合片８３の端部に、上挟持片６２から上側に徐々に大きく離間するように傾斜した係合部８４が形成されている。
【００２０】
従って、図３に示す如く結合部材６１を矢印方向に移動して、重合された軒側重合片２３と棟側重合片１７とを上下に挟持するように軒側重合片２３及び棟側重合片１７に対して結合部材６１を嵌合してゆくと、係合部８４が下側に弾性変形して係止部８１を乗り越え、係止部８１を乗り越えた後に図２に示すように係合部８４が係止部８１に棟側から係合し、これにより軒側重合片２３及び棟側重合片１７からの結合部材６１の抜脱を阻止するようになっている。
従って、軒側重合片２３及び棟側重合片１７に対して結合部材６１を嵌合することによって、結合部材６１で重合された軒側重合片２３と棟側重合片１７とを上下に簡単に挟持することができ、しかも軒側重合片２３及び棟側重合片１７に対して結合部材６１を嵌合すると、軒側重合片２３及び棟側重合片１７から結合部材６１が不測に抜脱しないように係止することができるため、特別に結合部材６１が軒側重合片２３及び棟側重合片１７から抜脱しないように抜け止め操作等をする必要もなくなり、非常に便利である。
【００２１】
結合部材６１を軒側重合片２３及び棟側重合片１７に対して嵌合することによって、結合部材６１の上挟持片６２が上段側の金属屋根材２の軒側重合片２３の上面に配置され、結合部材６１の下挟持片６３が下段側の金属屋根材２の棟側重合片１７の下面に配置され、結合部材６１の連結部６４が重合された軒側重合片２３と棟側重合片１７との先端間を軒側から塞ぐようになっている。
そして、上段の金属屋根材２の折り返し片２２が、上段の金属屋根材２の軒側重合片２３と下段の金属屋根材２の棟側重合片１７との重合部分を結合部材６１を含めて、上方から覆っている。
【００２２】
なお、左右に隣合う結合部材６１の対向端部同士は適当な接続手段によって互いに密着して接続される。この場合、左右に隣合う金属屋根材２同士の接続部と左右に隣合う結合部材６１同士の接続部との位置を互いにずらすようにすれば、防水性はさらによくなり、また上下左右の金属屋根材２の締結も更に強固なものになし得る。
図１〜図４、図８に示すように、金属屋根材２の下方に、後述する太陽電池４のリード線７１，７２及び接続線７３（太陽電池４の電線）を配線する左右方向の配線スペース６９が、左右方向に貫通するように設けられている。即ち、前記太陽電池モジュール１の各金属屋根材２の軒側端部は、ベース３よりも軒側に突出されて、野地板上に配置される上段のベース３の軒側端部と下段のベース３の棟側端部とが、水流れ方向に互いに離間するように構成されており、上段のベース３と下段のベース３との間に、各太陽電池モジュール１のベース３の軒側前方であって金属屋根材２の軒側端部の下方に、前記配線スペース６９が設けられている。そして、前記ベース３に設けた４個の配線溝３２と配線スペース６９とは、太陽電池モジュール１の軒側端部において互いに連通され、また、前記収納凹部２７は、ベース３の軒側に開放状に形成されており、金属屋根材２の下方で収納凹部２７が配線スペース６９に連通されている。
【００２３】
図８及び図２０に示すように、各太陽電池モジュール１の太陽電池４の端子ボックス５３に、プラス側のリード線（太陽電池４の電線）７１とマイナス側のリード線（太陽電池４の電線）７２とが突設されている。この各プラス側のリード線７１とマイナス側のリード線７２は、例えば端子ボックス５３の軒側端面から突出され、各リード線７１，７２の先端に防水コネクタ７１ａ，７２ａがそれぞれ設けられている。各プラス側のリード線７１及びマイナス側のリード線７２は、ベース３の収納凹部２７から配線スペース６９側に引き出されている。
【００２４】
そして、２０図に示すように、各太陽電池４のリード線７１、７２は、左右又は水流れ方向に隣り合う太陽電池４のリード線７２，７１に対して、直接に又は防水コネクタ７３ａを有する別途の接続線７３を介して、防水コネクタ７１ａ，７２ａにより順次直列に接続され、これにより左右又は水流れ方向に隣り合う６個の太陽電池４が直列に接続されている。このように接続してなる６個の太陽電池４の直列回路が複数組形成され、この複数組の太陽電池４の直列回路が、コネクタ７３ａを有する接続線（太陽電池４の電線）７３によって順次並列に接続されて、例えば棟側から建物の内部等に配線されるようになっている。
【００２５】
太陽電池４のリード線７１，７２は、各太陽電池モジュール１の配線スペース６９内に配線にされ、接続線７３は、複数の太陽電池モジュール１の配線スペース６９及び配線溝３２に亘って配線されている。
上記実施の形態によれば、太陽電池モジュール１を設置する場合、左右一対の支持板６の折曲縁部４８をベース３の係止溝２８に挿入係合して、各支持板６をベース３の上面に添って配置すると共に、支持板６の係合片４３をベース３の棟側下面に係合して、ベース３の棟側でベース３と支持板６とを一体化する。また、止めネジ５０により左右一対の支持板６を左右一対の吊り子５に対して夫々締め付け固定し、これにより左右一対の支持板６と左右一対の吊り子５との間でベース３を挟持し、これらを一体のものに組み立てておく。また、太陽電池４を屋根材本体１１の上面に接着し、ストッパー８を、止めネジ５４によって金属屋根材２の係止片２１と共に吊り子５の取付部４２に締め付け固定し、これによりストッパ−８で太陽電池４の軒側への移動を規制し、金属屋根材２の軒側端部を吊り子５に固定し、横樋１８を係止片４４に係合して、金属屋根材２の棟側端部を支持板６乃至ベース３から上方に浮かないように規制しておく。また、縦樋７をベース２３の樋収納凹部３０に嵌合して、両面接着テープ５８により樋収納凹部３０の底面に接着固定する。これにより、金属屋根材２、ベース３、太陽電池４、縦樋７等を備える太陽電池モジュール１を予め組み立てておく。
【００２６】
そして、多数の太陽電池モジュール１を葺く場合、作業者は棟側を向いた状態で、野地板９上に太陽電池モジュール１を棟側から順次配置し、吊り子５の固定部３５の取付孔を利用して、釘６６で吊り子５の固定部３５を野地板９及び垂木６７に固定する。
野地板９上に固定した上段（棟側）の太陽電池モジュール１に対して下段（軒側）の太陽電池モジュール１を左右方向に１／２モジュールずらした状態で、上段の太陽電池モジュール１の軒側端部の下方に、下段の太陽電池モジュール１の棟側端部が挿入し、これにより上段の金属屋根材２の軒側重合片２３と下段の金属屋根材２の棟側重合片１７とを、軒側重合片２３を上にし棟側重合片１７を下にして上下に重合する。
【００２７】
重合された上段の金属屋根材２の軒側重合片２３と下段の金属屋根材２の棟側重合片１７とに結合部材６１を嵌合して、これら軒側重合片２３と棟側重合片１７とを結合部材６１によって上下に挟持し、結合部材６１の連結部６４で重合された軒側重合片２３と棟側重合片１７との先端間を軒側から塞ぐ。以下、上記太陽電池モジュール１の固定作業を棟側から軒側に向けて順次繰り返せばよい。
また、以上の設置構造になっているので、止めネジ５４を外してストッパー８を取り外し、上下の結合部材６１を取り外してから、金属屋根材２を軒（水下）側にスライドさせると、吊り子５、ベース３、縦樋７及び支持板６を残して金属屋根材２を簡単に取り外すことができ、また逆の手順で金属屋根材２を取り付けることも簡単にできる。そして、太陽電池４を組付けた金属屋根材２の場合は、メンテナンス時に任意の一枚の太陽電池４を簡単に着脱することも可能となる。
【００２８】
そして、太陽電池４の電線（リード線７１，７２及び接続線７３）を配線する場合、金属屋根材２の下方に、太陽電池４の電線を配線する水流れ方向の配線溝３２が、水流れ方向に貫通するように設けられているので、太陽電池モジュール１の設置部分にも、配線溝３２を通してリード線７１，７２又は接続線７３を水流れ方向に配線することができ、また金属屋根材２の軒側端部は、ベース３よりも軒側に突出され、ベース３の軒側前方であって屋根材２の軒側端部の下方に、前記左右方向の配線スペース６９が、左右方向に貫通するように設けられており、太陽電池４の電線を配線する左右方向の配線スペース６９が太陽電池モジュール１を左右方向に貫通しているので、左右方向に対応する一列の太陽電池モジュール１の設置が終了した後に、その左右方向一列の太陽電池４のリード線７１，７２及び接続線７３をまとめて配線スペース６９で左右方向に配線して、互いに簡単に接続することができる。従って、ある程度の太陽電池モジュールの設置が終了した後に、各太陽電池モジュール１の太陽電池４の電線の配線をまとめて行うことができるようになって、太陽電池モジュール１の設置作業と太陽電池４の配線作業とを別工程で分けて行うことができ、太陽電池モジュール１の施工作業を簡単でかつ効率よくなし得る。
【００２９】
しかも、前記配線溝３２と配線スペース６９とが互いに連通されているから、リード線７１，７２及び接続線７３の水流れ方向の配線と左右方向の配線とを連続してスムーズになし得る。さらに、配線溝３２及び配線スペース６９が金属屋根材２の下方に位置するため、配線溝３２及び配線スペース６９に配線したリード線７１，７２及び接続線７３が雨等によって濡れるのを金属屋根材２により効果的に防止することができる。また、収納凹部２７が前記配線スペース６９に連通されているので、太陽電池４のリード線７１，７２を収納凹部２７から簡単に配線スペース６９側に導出でき、この点からも太陽電池４の電線の配線がより簡単かつスムーズになって、太陽電池モジュール１の施工作業がより一層効率よくなし得る。
【００３０】
図２１及び図２２は他の実施の形態を示し、太陽電池モジュール１の配置を千鳥状に代えて、ストレートに配置するようにしたものである。この場合も、十分な防水性を確保することが可能であり、前記実施の形態の場合と同様に、太陽電池モジュール１の設置部分にも、配線溝３２及び配線スペース６９を通してリード線７１，７２又は接続線７３を水流れ方向に配線することができ、また太陽電池モジュール１の設置作業と太陽電池４の配線作業とを別工程で分けて行うことができ、太陽電池モジュール１の施工作業を簡単でかつ効率よくなし得る。また、この場合、図２２に示すように太陽電池モジュール１の斜線のない部分が配線スペース６９及び配線溝３２になり、特に複数の太陽電池モジュール１の配線溝３２が水流れ方向に列状に並び太陽電池４の電線の水流れ方向の配線がより簡単になる。
【００３１】
なお、前記実施の形態によれば、太陽電池モジュール１の屋根材２を金属屋根材にて構成しているが、これに代え、屋根材２を合成樹脂材その他で構成するようにしてもよい。
【００３２】
【発明の効果】
本発明によれば、太陽電池モジュール１の設置部分にも、配線溝３２又は配線スペース６９を通して太陽電池４の電線を水流れ方向又は左右方向に配線することができ、またある程度の太陽電池モジュールの設置が終了した後に、各太陽電池モジュール１の太陽電池４の電線の配線をまとめて行うことができるようになって、太陽電池モジュール１の設置作業と太陽電池４の配線作業とを別工程で分けて行うことができ、太陽電池モジュール１の施工作業を簡単でかつ効率よくなし得る。
【図面の簡単な説明】
【図１】本発明の一実施の形態を示す断面図である。
【図２】同太陽電池モジュール１の軒側端部部分の側面断面図である。
【図３】同結合部材を装着する前の状態を示す側面断面図である。
【図４】同分解斜視図である。
【図５】同構成部材の位置関係を示す平面図である。
【図６】同野地板上に配置した太陽電池モジュールの配置状態を示す平面図である。
【図７】同太陽電池モジュールの正面図である。
【図８】同太陽電池モジュールの平面図である。
【図９】同金属屋根材の側面図である。
【図１０】同金属屋根材の正面図である。
【図１１】同図１０のＡ−Ａ線断面図である。
【図１２】同金属屋根材の正面断面図である。
【図１３】同ベースの正面図である。
【図１４】同支持板の平面図である。
【図１５】同支持板の側面図である。
【図１６】同支持板の背面図である。
【図１７】同縦樋の平面図である。
【図１８】同縦樋の側面図である。
【図１９】同縦樋の正面図である。
【図２０】太陽電池４の配線状態を示す平面図である。
【図２１】他の実施形態を示す太陽電池４の配線状態の平面図である。
【図２２】同太陽電池モジュール１の平面図である。
【符号の説明】
１        太陽電池モジュール
２        金属屋根材
３        ベース
４        太陽電池
２７      収納凹部
１２      端子ボックス挿入窓
３２      配線溝
５３      端子ボックス
６９      配線スペース
７１      リード線
７２      リード線
７３      接続線
【図１】
0003631393.tif 000002
【図２】
0003631393.tif 000003
【図３】
0003631393.tif 000004
【図４】
0003631393.tif 000005
【図５】
0003631393.tif 000006
【図６】
0003631393.tif 000007
【図７】
0003631393.tif 000008
【図８】
0003631393.tif 000009
【図９】
0003631393.tif 000010
【図１０】
0003631393.tif 000011
【図１１】
0003631393.tif 000012
【図１２】
0003631393.tif 000013
【図１３】
0003631393.tif 000014
【図１４】
0003631393.tif 000015
【図１５】
0003631393.tif 000016
【図１６】
0003631393.tif 000017
【図１７】
0003631393.tif 000018
【図１８】
0003631393.tif 000019
【図１９】
0003631393.tif 000020
【図２０】
0003631393.tif 000021
【図２１】
0003631393.tif 000022
【図２２】
0003631393.tif 000023